(57)【特許請求の範囲】
【請求項１】
水を濾過して浄水にするフィルタユニットと、
前記フィルタユニットから吐出された浄水が流れる浄水管と、
前記浄水管が経由し、前記浄水管を冷却して冷水を生成する冷却ユニットと、を含み、
前記冷却ユニットは、
蒸発した冷媒が流入する蒸発器と、
前記浄水管を経由し、前記蒸発器の冷気が前記浄水管に伝達されるように熱伝達流体を収容する熱交換部と、を含み、
前記熱伝達流体は水であり、
前記蒸発器は、前記浄水管の上側を通過するように配置され、冷却時に形成される氷と前記浄水管が相互干渉しないように構成された水処理装置。
【請求項２】
前記浄水管は、前記熱交換部を経由し、
前記蒸発器は、前記浄水管の上部で浄水管から離隔するように配置されることを特徴とする請求項１に記載の水処理装置。
【請求項３】
前記熱交換部には、前記熱伝達流体を強制流動させる攪拌機がさらに含まれることを特徴とする請求項１に記載の水処理装置。
【請求項４】
前記熱交換部を経由する浄水管部分は、巻かれた状態で設けられることを特徴とする請求項１に記載の水処理装置。
【請求項５】
前記フィルタユニットから吐出された浄水を、アルカリ水と酸性水にイオン化させる電解槽をさらに含むことを特徴とする請求項１に記載の水処理装置。
【請求項６】
前記電解槽は、冷却ユニットの冷却水吐出側に配置されることを特徴とする請求項５に記載の水処理装置。
【発明の詳細な説明】
【技術分野】
【０００１】
本発明は水処理装置に関するものである。
【背景技術】
【０００２】
一般的に水処理装置は、水に含まれた異物や重金属等を濾過する装置である。上記水処理装置には浄水器、イオン水器等がある。
【０００３】
上記水処理装置には、フイルタにおいて濾過された水が貯えられる冷水タンクと温水タンクを設けることができる。上記冷水タンクには、水が予め冷却された状態で貯えられ、上記温水タンクには、水が予め加熱された状態で貯えられる。
【０００４】
また、上記水処理装置には、水を電気分解してアルカリ水を提供することができるように電解槽（ｅｌｅｃｔｒｏｌｙｚｅｒ）を設けることができる。この時、上記電解槽において電解されたアルカリ水が、取水部まで流れることができるようにポンプが設けられる。
【０００５】
しかし、上記冷水タンクの冷水が長時間貯えられるため、上記冷水タンクに外部から異物が入り込むことにより、冷水が汚染されることがある。また、冷水に含まれた濾過されていない物質が、冷水タンクの内面に張り付き、水垢ができるようになるため、上記冷水タンクの内部に貯えられた水が再汚染されることがある。
【０００６】
また、上記冷水タンクの内部には、電気分解時に発生するスケールが蓄積され、使用時、冷水にスケールが混じって出ることができる。
【０００７】
また、上記冷水タンクの冷水が一定時間の間、貯えられる場合、冷水のｐＨ濃度が減少することがある。さらに、上記冷水のｐＨ濃度が減少することにより、所望のｐＨ濃度の水を取水することが困難であった。
【発明の開示】
【発明が解決しようとする課題】
【０００８】
上記問題点を解決するために、本発明の目的は、冷水の汚染及び再汚染を防ぎ、スケールが堆積することを防ぎ、所望のｐＨ濃度の水を取水することができる水処理装置を提供することである。
【課題を解決するための手段】
【０００９】
上記目的を達成するために、本発明の一実施例によると、水を濾過して浄水にするフイルタユニットと、上記フイルタユニットから吐出された浄水が流れる浄水管と、上記浄水管が経由し（上記浄水管を内部に配置し）、上記浄水管を冷却させて冷水を生成する冷却ユニットと、を含み、前記冷却ユニットは、蒸発した冷媒が流入する蒸発器と、前記浄水管を経由し、前記蒸発器の冷気が前記浄水管に伝達されるように熱伝達流体を収容する熱交換部と、を含み、前記熱伝達流体は水であり、前記蒸発器は、前記浄水管の上側を通過するように配置され、冷却時に形成される氷と前記浄水管が相互干渉しないように構成された水処理装置を提供する。
【００１０】
本発明の他の実施例によると、水を濾過して浄水にするフイルタユニットと、上記フイルタユニットから吐出された浄水が流れる浄水管と、上記浄水管が経由し（上記浄水管を内部に配置し）、上記浄水管を冷却させて冷水を生成する冷却ユニットと、上記フイルタユニットから吐出された浄水をアルカリ水と酸性水にイオン化させる電解槽と、を含む水処理装置を提供する。
【００１１】
本発明のさらに他の実施例によると、水を濾過して浄水にするフイルタユニットと、上記フイルタユニットから吐出された浄水が流れる浄水管と、上記浄水管が下部を経由し（上記浄水管が下部に設けられ）、上記浄水管の上側を冷却させ冷水を生成する冷却ユニットと、上記フイルタユニットから吐出された浄水をアルカリ水と酸性水にイオン化させる電解槽と、を含む水処理装置を提供する。
【発明を実施するための最良の形態】
【００１２】
以下、本発明の目的を具体化することができる本発明の好ましい実施形態を、添付の図面を参照して説明する。
【００１３】
図１は、本発明による水処理装置の第１実施形態を図示した構成図である。
【００１４】
図１に示すように、上記水処理装置は、フイルタユニット１０、浄水管２０及び冷却ユニット１１０を含む。
【００１５】
上記フイルタユニット１０は、セディメントフイルタ１１（ｓｅｄｉｍｅｎｔ  ｆｉｌｔｅｒ）、プレカーボンフイルタ１２（ｐｒｅ-ｃａｒｂｏｎ  ｆｉｌｔｅｒ）、逆浸透メンブレンフイルタ１３（ｒｅｖｅｒｓｅ  ｏｍｏｓｉｓ  ｍｅｍｂｒａｎｅ  ｆｉｌｔｅｒ）及びポストカーボンフイルタ１４（ｐｏｓｔ-ｃａｒｂｏｎ  ｆｉｌｔｅｒ）を含むことができる。また、上記フイルタユニット１０には、限外濾過フイルタ（不図示）（ｕｌｔｒａ  ｆｉｌｔｒａｔｉｏｎ  ｆｉｌｔｅｒ）とナノフイルタ（不図示）（ｎａｎｏ-ｆｉｌｔｒａｔｉｏｎ  ｆｉｌｔｅｒ）をさらに含むことができる。
【００１６】
上記セディメントフイルタ１１は、不織布が使用され、原水に含まれた異物と浮遊物質を濾過する。上記プレカーボンフイルタ１２は、界面活性炭が使用され、原水に含まれた塩素成分や臭い等を濾過する。上記逆浸透メンブレンフイルタ１３は、０．００１μｍ程度の微細な粒子を濾過する。上記ポストカーボンフイルタ１４は、プレカーボンフイルタの界面活性炭より吸着力が相対的に優れており、色素と臭いを除去する。上記限外濾過フイルタは、中空糸膜が使用され、原水に含まれた細菌を濾過する。
【００１７】
上記フイルタユニット１０において濾過された浄水は、浄水管２０に従って流動し、上記冷却ユニット１１０に流入される。このような冷却ユニット１１０に関しては、下記で詳細に説明する。
【００１８】
上記浄水管２０には、電解槽１０１（ｅｌｅｃｔｒｏｌｙｚｅｒ）がさらに含まれる。この時、上記電解槽１０１は、冷却ユニット１１０の浄水流入側または浄水吐出側に配置される。また、上記冷却ユニット１１０と電解槽１０１間の浄水管部分２１には、開閉バルブ２２ａが配置されることができる。
【００１９】
上記フイルタユニット１０と冷却ユニット１１０間の浄水管部分２１と、上記電解槽１０１を直接連結することができるように、電解水管２５がさらに設けられる。この時、上記電解水管２５の吸入端には、三方弁２１ａ（ｔｈｒｅｅ  ｗａｙ  ｖａｌｖｅ）が配置される。上記三方弁２１ａは、フイルタユニット１０から吐出された浄水を、上記冷却ユニット１１０と電解槽１０１のうち、いずれかに選択的に供給する。上記電解水管２５は、フイルタユニット１０から吐出された浄水が、上記冷却ユニット１１０を経ずに上記電解槽１０１に提供されるようにする。
【００２０】
上記電解槽１０１は、冷水を電気分解して酸性水とアルカリ水にイオン化させる。上記電解槽１０１のアルカリ水は、浄水管２３を通じて取水部６０に提供され、上記電解槽１０１の酸性水は、ドレン管２６を通じて排出される。上記取水部６０は、使用者が水を取水することができるコックのような構成を意味する。
【００２１】
上記電解槽１０１と取水部６０間の浄水管部分２３と、上記ドレン管２６が連結され、上記連結される部分に三方弁２３ａ（ｔｈｒｅｅ  ｗａｙ  ｖａｌｖｅ）が配置される。
【００２２】
上記のように構成された本発明による第１の実施形態の作用に対して説明する。
【００２３】
図１において、冷却アルカリ水が選択されると、上記フイルタユニット１０には原水が供給される。上記原水は、フイルタユニット１０を通過しながら濾過され、浄水になる。
【００２４】
この時、上記フイルタユニット１０と冷却ユニット１１０間の三方弁２１ａが制御されることにより、上記フイルタユニット１０から吐出された浄水は、上記冷却ユニット１１０の内部に流入する。また、上記浄水管２０は、冷却ユニット１１０を経由するように設けられるため、上記浄水管２０の浄水は、冷却ユニット１１０を通過する間に急速冷却される。
【００２５】
上記冷却ユニット１１０において冷却された浄水は、開閉バルブ２２ａを開放することにより電解槽１０１に流入する。上記電解槽１０１の浄水は、電気分解により酸性水とアルカリ水にイオン化される。上記酸性水は、ドレン管２６を通じて排出され、上記アルカリ水は取水部６０に提供される。
【００２６】
一方、常温のアルカリ水が選択されると、上記フイルタユニット１０と冷却ユニット１１０間の三方弁２１ａを制御することにより、上記フイルタユニット１０から吐出された浄水は、電解水管２５に従って流れる。この時、上記冷却ユニット１１０には、上記フイルタユニット１０からの浄水を供給しないこともある。
【００２７】
上記冷却ユニット１１０において、イオン化されたアルカリ水は、直ぐ取水部６０に提供され、使用者は正確なｐＨ濃度の常温アルカリ水を得ることができる。また、イオン化された酸性水は、ドレン管２６を通じて外部に排出できる。
【００２８】
上記の水処理装置は、アルカリ水がイオン化された直後に直ぐ取水部６０に提供されるため、使用者が所望のｐＨ濃度の冷却アルカリ水を取水することができる。従って、イオン化されたアルカリ水が一定時間の間、貯えられることにより、アルカリ水のｐＨ濃度が減少される問題を根本的に解消することができる。
【００２９】
また、上記電解槽１０１においてイオン化されたアルカリ水が、取水部６０に直ぐ排出されるため、上記電解槽１０１において電気分解によりスケールが発生しても、上記電解槽１０１内部に堆積することを防ぐことができる。
【００３０】
また、上記水処理装置には、冷水タンクが別途設けられず、浄水管２０からの水が流れるため、水の流動抵抗が著しく減少する。従って、上記浄水管２０の水は、フイルタユニット１０の流入側において作用する水圧により、上記取水部６０まで流れるようになるため、上記水処理装置には、浄水管２０に水を流すためのポンプを別途、設けなくてもよい。上記ポンプが設けられないため、水処理装置において発生する騒音を著しく減少させることができる。
【００３１】
上記の水処理装置は、イオン化された浄水を提供することができる機器である。このような水処理装置は、使用者の選択により冷却イオン水または常温イオン水を提供する。
【００３２】
次に、本発明による水処理装置の第２の実施形態を説明する。
【００３３】
第２の実施形態による水処理装置は、イオン水を提供する構成と、イオン化されていない浄水を提供する構成からなる。第２の実施形態においてイオン水を提供する構成に関しては、上述の第１実施形態と実質的に同一である。そのため、第２の実施形態を説明において、イオン化されていない浄水を提供する構成に関してのみ説明し、第１の実施形態と実質的に同じ構成に関しては同じ符号とした。
【００３４】
図２は、本発明による水処理装置の第２の実施形態を図示した構成図である。
【００３５】
図２において、上記冷却ユニット１１０と、取水部６０を直接連結する冷水管２８が、さらに含まれる。このような冷水管２８は、冷却ユニット１１０の冷水が、電解槽１０１を経ずに、取水部６０に供給されるようにする。
【００３６】
また、上記フイルタユニット１０と冷却ユニット１１０間の浄水管部分２１と、上記冷水管２８を直接連結するバイパス管２７が、さらに含まれる。このようなバイパス管２７は、フイルタユニット１０から吐出された浄水が、上記冷却ユニット１１０と電解槽１０１を経ずに、取水部６０に供給されるようにする。
【００３７】
上記のように構成された本発明による水処理装置の、第２の実施形態の作用に関して説明する。
【００３８】
図２において、上記水処理装置は、使用者の選択により、イオン水またはイオン化されていない浄水を提供する過程に分かれる。また、上記イオン水を提供する過程は、冷却アルカリ水と常温アルカリ水を提供する過程に分かれ、上記イオン化されていない浄水の提供過程は、冷却水と常温の浄水を提供する過程に分かれる。上記イオン水を提供する過程は、第１実施形態と実質的に同じであるため、その説明は省略する。
【００３９】
冷却水が選択されると、上記フイルタユニット１０から吐出された浄水は、三方弁２１ａの制御により冷却ユニット１１０に流入する。この時、上記電解水管２５とバイパス管２７には、浄水が流入しない。
【００４０】
上記冷却ユニット１１０から流入された浄水は、冷却ユニット１１０により冷却され冷却水になる。上記冷却ユニット１１０と電解槽１０１間の開閉バルブ２２ａは流路を閉鎖し、上記冷水管２８の三方弁２８ａは、冷水管２８の流路を開放させる。
【００４１】
上記浄水管２０は、冷却ユニット１１０を経由するため（冷却ユニット１１０内を通るため）、上記浄水管２０からの浄水は、冷却ユニット１１０を通過する間に急速冷却される。上記冷却ユニット１１０の冷却水は、冷水管２８に沿って流れ、取水部６０に流入する。従って、使用者は、冷却水を取水することができるようになる。
【００４２】
一方、常温の浄水が選択されると、上記フイルタユニット１０と冷却ユニット１１０間の三方弁２１ａが閉鎖される。この時、上記フイルタユニット１０の浄水は、冷却ユニット１１０及び電解水管２５に流入されない。
【００４３】
上記フイルタユニット１０の常温の浄水は、上記バイパス管２７に沿って流れる。この時、上記バイパス管２７の吐出端に配置された三方弁２８ａが、制御されることにより、上記バイパス管２７の常温の浄水が、取水部６０に流入する。従って、使用者は、常温の浄水を取水することができるようになる。
【００４４】
また、上記水処理装置には、冷水タンクが別途、設けられないため、上記水処理装置に、イオン水が流動される場合またはイオン化されていない浄水が流れる場合にも、浄水管２０に沿って水が流れるため、水の流動抵抗が著しく減少する。従って、上記水処理装置には、浄水管２０に水を流すためのポンプを別途、設けなくてもよいので、水処理装置において発生する騒音を著しく減少させることができる。
【００４５】
上記水処理装置の第１、第２の実施形態には、浄水を急速冷却させるための冷却ユニット１１０が共通的に適用される。下記では第１、第２の実施形態に使用できる冷却ユニット１１０の実施形態に関して説明する。
【００４６】
図３は、水処理装置を構成する冷却ユニットの第１の実施形態を図示した構成図である。
【００４７】
図３に示すように、上記冷却ユニット１１０は、蒸発器１１１及び熱交換部１１８を含む。
【００４８】
上記蒸発器１１１は、圧縮機（図示せず）、凝縮器（図示せず）及び膨張部材（図示せず）を含む冷媒システムの一部を構成する。上記冷却システムが稼動されると、上記圧縮機において圧縮された冷媒は、凝縮器及び膨張装置に流入した後、膨張し、上記蒸発器１１１に低温低圧の冷媒が供給される。
【００４９】
上記熱交換部１１８には、循環管１１６と浄水管３１が経由するように配置される。このような熱交換部１１８には、熱伝達流体が収容される。
【００５０】
この時、上記熱交換部１１８を経由する浄水管部分３１は、直線形態で熱交換部１１８の内部に収容されるか、又は螺旋型に巻かれた形態で収容されることができる。上記浄水管が、螺旋型に巻かれた形態を有する場合、上記浄水管が熱交換部１１８と熱交換する時間が増加する。
【００５１】
上記冷却ユニット１１０には、蓄熱部１１２と不凍液循環部１１５をさらに含むことができる。このような蓄熱部１１２と不凍液循環部１１５は、上記蒸発器１１１の冷気を熱交換部に伝達する。
【００５２】
上記蓄熱部１１２は、上記蒸発器１１１が経由する収容部材１１３と、上記収容部材１１３の内部に収容される熱交換媒体１１４を含む。上記熱交換媒体１１４としては、熱伝達流体または氷が使用される。
【００５３】
上記不凍液循環部１１５は、内部に不凍液が流動する循環管１１６と、上記循環管１１６の不凍液を流動させる循環ポンプ１１７を含む。ここで、上記不凍液には、塩化カルシウム溶液、塩化マグネシウム溶液、エチレングリコール溶液またはエチルアルコール溶液等が使用される。
【００５４】
上記のように構成された冷却ユニット１１０の、第１の実施形態の作用に関して説明する。
【００５５】
上記冷媒システムが稼動されると、上記蒸発器１１１には低温の冷媒が流入する。上記蒸発器１１１の冷気は、蓄熱部１１２に収容された水を冷却して凍らせ、蓄熱部１１２内に氷を形成する。この時、上記蓄熱部１１２は、氷により冷気を蓄熱させるため、実質的に氷蓄熱部１１２として作用する。
【００５６】
また、上記不凍液循環部１１５のポンプが稼動されると、上記循環管１１６に沿って不凍液が循環する。上記循環管１１６の不凍液は、蓄熱部１１２の冷気を熱交換部１１８に伝達して熱交換部１１８を冷却させる。この時、上記浄水管３１は、熱交換部１１８を経由するように設けられるため、上記浄水管３１の浄水は、熱交換部１１８を通過しながら急速冷却される。
【００５７】
このように、上記水処理装置は、浄水管に沿って流れる浄水を急速冷却した後、取水部６０を通じて直ぐ取水される構成を有する。このような水処理装置は、冷水タンクが別途に設けられないため、外部の汚染物質が冷水タンクの内部に流入し、冷水が汚染される問題を、根本的に解消することができる。また、上記冷水タンクが別途、設けられないだけ、水処理装置の大きさを減少させる。
【００５８】
図４は、水処理装置を構成する冷却ユニットの第２の実施形態を図示した構成図である。
【００５９】
図４に示すように、上記冷却ユニット１２０は、蒸発器１２1及び熱交換部１２３を含む。
【００６０】
上記熱交換部１２３内部には、熱伝達流体１２４が収容される。この時、上記熱伝達流体１２４としては、水、不凍液等多様な熱伝達流体が使用できる。
【００６１】
上記浄水管３３は、巻かれた形態で熱交換部１２３に収容され、上記蒸発器１２1は巻かれた形態の浄水管部分３３を囲むように、巻かれた形態を有する。この時、蒸発器１２1は、巻かれた形態の浄水管部分３３を囲むように形成されるため、熱交換部１２３に収容される冷媒管の長さを、相対的に長くすることができる。さらに、上記熱交換部１２３の冷却容量を増大させることができる。
【００６２】
上記蒸発器１２１の巻かれた部分は、浄水管の巻かれた部分３３と互いに離隔しており、上記浄水管部分３３の浄水が凍ることを防ぐことが好ましい。
【００６３】
また、上記蒸発器１２１は、熱伝導性に優れたアルミニウム板のような熱伝達部材と、上記熱伝達部材の内部にジグザグ形態で設けられた冷媒管を含む。この時、上記熱伝達部材は、上記浄水管３３の周りを囲むように配置することができる。このような構造に関しては図示していない。
【００６４】
上記熱交換部１２３には、上記熱伝達流体１２４を強制流動させることができるように、攪拌機１２６をさらに含んでもよい。上記攪拌機１２６は、モーター１２７とファン１２８を含む。このような攪拌機１２６のファン１２８は、浄水管２０に沿って浄水が流れる方向と反対の方向に回転される。
【００６５】
上記のように構成された冷却ユニットの、第２の実施形態の作用に関して説明する。
【００６６】
上記冷媒システムが稼動されると、上記蒸発器１２1の冷媒は、巻かれた部分に沿って流れる。また、上記攪拌機１２６のファン１２８が、上記蒸発器１２1の冷媒流動方向と反対方向に回転される場合、上記熱交換部１２３の熱伝達流体１２４は、上記冷媒の流動方向と反対に水流を形成する。従って、上記熱伝達流体１２４と冷媒の熱交換効率を向上させることができる。
【００６７】
上記浄水管３３は、熱交換部１２３を経由する部分が巻かれた形態を有するため、上記熱交換部１２３を経由する間、充分に冷却される。
【００６８】
このように、上記水処理装置は、浄水管３３に沿って流れる浄水を急速冷却させた後、取水部６０を通じて直ぐに取水される構成を有する。このような水処理装置は、冷水タンクが別途、設けられないため、外部の汚染物質が冷水タンク内部に流入し、冷水が汚染される問題を根本的に解消することができる。また、冷水タンクが別途、設けられていないだけ、水処理装置の大きさを減少できる。
【００６９】
図５は、水処理装置を構成する冷却ユニットの第３の実施形態を図示した構成図であり、図６は、冷却ユニットを図示した断面図であり、図７は、冷却ユニットにおいて計算流体力学シミュレーション結果を示した図面である。
【００７０】
図５に示すように、冷却ユニット１３０は、浄水管３５の上側に配置される蒸発器１３１と、上記蒸発器１３１と浄水管３５との間で熱交換する熱伝達流体を収容する熱交換部１３３を含む。
【００７１】
この時、上記熱伝達流体が水である場合、蒸発器１３１は、浄水管３５の上側を通過するように配置され、冷却時に形成される氷と浄水管３５が、相互干渉しないようにする。
【００７２】
浄水管３５は、熱交換部１３３を経由し、蒸発器１３１は、浄水管３５の上部に浄水管と離隔して配置される。
【００７３】
この時、上記浄水管３５は、巻かれた形態で熱交換部１３３の下側に配置されることができる。このような浄水管は、巻かれた部分３５が並んで配列されるように巻かれる。
【００７４】
蒸発器１３１は、冷媒管が巻かれた形態で形成され、上記浄水管３５の上側に配置される。上記蒸発器１３１には、熱交換ピンが形成されることもできる。
【００７５】
また、蒸発器１３１は、熱伝統性に優れたアルミニウム板のような熱伝達部材と、上記熱伝達部材の内部にジグザグ形態で設けられた冷媒管を含むことができる。このような構造に対しては図示していない。
【００７６】
熱交換部１３６の内部には、熱伝達流体１３４が収容される。この時、熱伝達流体１３４としては、水、不凍液等多様な熱伝達流体が使用できる。
【００７７】
冷却ユニット１３０には、熱伝達流体１３４を強制的に流すことができるように、攪拌機１３６がさらに含まれる。上記攪拌機１３６は、モーター１３７とファン１３８を含む。このような攪拌機１３６のファン１３８は、浄水管３５に沿って浄水が流れる方向と反対方向に回転され、上記浄水が流れる方向と熱伝達流体１３４の水流を、反対に形成することができる。従って、上記熱伝達流体１３４と浄水管３５の熱交換効率を向上させることができる。
【００７８】
上記のように構成された冷却ユニットの、第３の実施形態の作用に関して説明する。
【００７９】
図６に示すように、蒸発器１３１の巻かれた部分は熱交換部１３３の上側に配置されるため、熱交換部１３３の熱伝達流体１３４は、蒸発器１３１の近くで一番先に冷却される。
【００８０】
この時、熱伝達流体１３４として水が適用される場合、水は４℃の場合最も密度が高いため、温度が下降するほど、密度勾配の差異により氷は上側から凍るようになる。この時、蒸発器に浄水管の上側を通過するように配置され、冷却時に形成される氷と浄水管が、相互干渉しないようにする。
【００８１】
蒸発器１３１により水の温度が急激に下降する場合、上記熱交換部１３３の水は、氷領域１４１と熱交換領域１４２が上下に区分される。従って、上記水の温度が急激に下降しても、上記浄水管３５の浄水が結氷することを防ぐことができる。
【００８２】
図７を参照すると、上記熱交換部１３３の温度分布を計算流体力学でシミュレーションを行った結果、水の温度が下降しても、氷は熱交換部１３３の上側でのみ成長し、下側へは殆ど成長しないことが分かる。従って、上記熱交換部１３３の熱伝達流体１３４として水が使用されても、上記浄水管３５の浄水が結氷することを防ぐことができる。
【００８３】
前で説明した実施形態の他にも、本発明がその趣旨及び範囲から外れることなく、他の特定の形態で具体化されることができるという事は、当該技術において通常の知識を有する者には自明である。そのため、上述の実施形態は、制限的なものではなく、例示的なものであり、これにより本発明は上述の詳細な説明に限定されず、上述の請求項の範囲及びそれと同等の範囲内で変更することもできる。
【図面の簡単な説明】
【００８４】
【図１】本発明による水処理装置の第１の実施形態を図示した構成図である。
【図２】本発明による水処理装置の第２の実施形態を図示した構成図である。
【図３】水処理装置を構成する冷却ユニットの第１の実施形態を図示した構成図である。
【図４】水処理装置を構成する冷却ユニットの第２の実施形態を図示した構成図である。
【図５】水処理装置を構成する冷却ユニットの第３の実施形態を図示した構成図である。
【図６】図５の冷却ユニットを図示した断面図である。
【図７】図５の冷却ユニットにおいて計算流体力学シミュレーション結果を示した図面である。
【符号の説明】
【００８５】
１０  フイルタユニット
２０、３１、３３  浄水管
６０  取水部
１０１  電解槽
１１０、１２０、１３０  冷却ユニット
１１１、１２１  蒸発器
１１２  蓄熱部
１１５  不凍液循環部
１１８、１２３、１３３  熱交換部
１２６、１３６  攪拌機
１２４、１３４  熱伝達流体
【図１】
0005413709.tif 000002
【図２】
0005413709.tif 000003
【図３】
0005413709.tif 000004
【図４】
0005413709.tif 000005
【図５】
0005413709.tif 000006
【図６】
0005413709.tif 000007
【図７】
0005413709.tif 000008